(57)【要約】【課題】柔らかな風合いを持つと同時に洗濯によって嵩高性が増すタオル地の提供を図る。【解決手段】経糸と緯糸とパイル糸とを備え、前記パイル糸は、Ｓ撚り糸とＺ撚り糸によるパイルループが隣り合っている。パイル糸の撚り数は、前記経糸の撚り数に近似しているものとする。前記パイル糸の撚り数は、前記緯糸の撚り数よりも少ないものとする。このタオル地を１０回洗浄した後の嵩高性は、洗浄を行っていない未洗浄のものと比べて１２０％以上増加するように構成したタオル地。【選択図】図１
2020172714.tif 000002
【特許請求の範囲】
【請求項１】
経糸と緯糸とパイル糸とを備え、
前記パイル糸には、Ｓ撚り糸とＺ撚り糸との2種類の撚糸が用いられており、
前記Ｓ撚り糸と前記Ｚ撚り糸によるパイルループが隣り合っているタオル地において、
前記パイル糸の撚り数は、前記経糸の撚り数に対して１０cm当たり±８回以内の近似撚り数であり、
１０回洗浄後の嵩高性が未洗浄のものと比べて１２０％以上増加するように構成されたことを特徴とするタオル地。
【請求項２】
前記パイル糸の撚り数が前記緯糸の撚り数よりも少なく、
前記パイル糸の撚り数が１０cm当たり６０回未満であることを特徴とするタオル地。
【発明の詳細な説明】
【技術分野】
【０００１】
本発明は、タオル地に関するものである。
【背景技術】
【０００２】
今日、タオル地は、ハンドタオル、バスタオルなどの種々のタオルを始め、トレーナーやウインドブレーカーなどの衣料品や、バッグやポーチなどの身の回り品の素材として広く用いられている。
このタオル地の先行技術としては、経糸と緯糸とパイル糸とを備えたタオル地にあっては、Ｓ撚り糸とＺ撚り糸によるパイルを隣り合せて設けることによってパイルループが倒れることなく立ちの良いタオルを作ることができることが特許文献１に示されている。
ところが特許文献１の提案は、パイルが倒れにくくすることに止まっていたものであった。また技術常識としても、タオル地は洗濯することによって嵩高性が増すことがあっても、それはわずかなものに止まると考えられていた。
また、柔らかい風合いのタオル地を得るためには、撚りをかけない無撚糸を用いることも知られているが、無撚糸を用いた場合には、パイルループの立ちが悪く、嵩高性が低下する傾向にある。
【先行技術文献】
【特許文献】
【０００３】
【特許文献１】実開昭４８−２１９７４号公報
【発明の概要】
【発明が解決しようとする課題】
【０００４】
本発明は、タオル地の技術常識に挑戦し、洗濯によって嵩高性が増すタオル地を提供せんとするものである。
さらに本発明は、柔らかな風合いを持つと同時に洗濯によって嵩高性が増すタオル地を提供せんとするものである。
【課題を解決するための手段】
【０００５】
本発明は、経糸と緯糸とパイル糸とを備え、前記パイル糸には、Ｓ撚り糸とＺ撚り糸との2種類の撚糸が用いられ、前記Ｓ撚り糸と前記Ｚ撚り糸によるパイルループが隣り合っているタオル地の改良に関する。本発明のタオル地では、前記パイル糸の撚り数が、前記経糸の撚り数に対して１０cm当たり±８回以内の近似撚り数である。そして、前記パイル糸の撚り数が前記緯糸の撚り数よりも少なく、１０回洗浄後の嵩高性が未洗浄のものと比べて１２０％以上増加するように構成されものである。
本発明の実施に際しては、前記パイル糸の撚り数が１０cm当たり６０回未満の甘撚りであり、前記緯糸の撚り数よりも少ないものとすることをが望ましい。
前記Ｓ撚り糸と前記Ｚ撚り糸による前記パイルは、Ｓ撚、Ｚ撚、Ｓ撚、Ｚ撚のように１本ずつが交互に配列されたものであってもよく、Ｓ撚、Ｓ撚、Ｚ撚、Ｚ撚、Ｓ撚、Ｓ撚、Ｚ撚、Ｚ撚のように２本ずつが交互に配列されたものであっても構わないし、Ｓ撚、Ｚ撚、Ｚ撚、Ｓ撚、Ｚ撚、Ｚ撚のように配列された本数が異なるものであっても構わない。
【発明の効果】
【０００６】
本発明は、洗濯によって嵩高性が増すタオル地を提供することができたものである。さらに本発明は、柔らかな風合いを持つと同時に洗濯によって嵩高性が増すタオル地を提供することができたものである。
【図面の簡単な説明】
【０００７】
【図１】本発明の実施形態に係るタオル地を示すものであり、（Ａ）は構造説明図、（Ｂ）は組織図。
【図２】本発明の他の実施形態に係るタオル地の組織図。
【図３】嵩高性のテスト結果を示すものであり、（Ａ）は、本発明の実施形態に係るタオル地のテスト結果の写真、（Ｂ）は従来のタオル地に係るテストの写真。
【発明を実施するための形態】
【０００８】
以下、図面に基づき本発明の実施の形態を説明する。
この実施の形態に係るタオル地は、緯糸として緯糸１１を用い、縦糸として経糸２１とパイル糸３１を用いたもので、緯糸１１と経糸２１とによって地組織が構成されている。パイル糸３１は地組織の両面にパイルループを形成するのである。
図１（Ｂ）に示すように、パイル糸３１には、Ｓ撚り糸３２とＺ撚り糸３３との2種類を用い、Ｓ撚り糸３２とＺ撚り糸３３とによるパイルループが隣り合っている。この例では、Ｓ撚り糸３２、Ｚ撚り糸３３、Ｓ撚り糸３２、Ｚ撚り糸３３というように交互に配列されている。
【０００９】
（緯糸１１と経糸２１について）
まず緯糸１１と経糸２１について説明すると、緯糸１１と経糸２１とには、撚り糸が用いられているが、これについては、Ｓ撚り、Ｚ撚のいずれであっても構わないし、その両者を用いても構わない。
緯糸１１と経糸２１の撚り数は、一般的なタオル地に用いられるものと同じ程度でよく、例えば１０cm当たり４０回〜７０回程度のものを示すことができる。緯糸１１と経糸２１の糸の太さはタオル地の用途にもよるが、１０／１番手〜２０／１番手程度のものが適当である。
【００１０】
（パイルループについて）
パイルループの撚り数は、経糸２１の撚り数に対して１０cm当たり±８回以内の近似撚り数であることが適当であり、好ましくは１０cm当たり±６回以内、さらに好ましくは１０cm当たり±２回以内のほぼ同じ撚り数として実施する。このように、近似撚り数にすることによって、縦糸（経糸２１とパイル糸３１）同士の作用で、パイルの嵩高性を高めることができたことは、発明者にとっても大きな驚きであった。
【００１１】
タオル地に柔らかい風合いを出すようにするという観点からは、パイルループの撚り数は１０cm当たり６０回未満とすることができる。他方、撚り数が少なくなりすぎると嵩高性に悪影響を及ぼしてしまう恐れがある。そのために、パイルループの撚り数を、上記の近似撚り数とすると共に、１０cm当たり４０回〜５６回程度とすることによって、嵩高性と柔らかい風合いとを両立させることができる点で好ましい。
パイルループの糸の太さはタオル地の用途にもよるが、１０/１番手〜２０/１番手程度のものが適当である。
【００１２】
（嵩高性について）
本発明のタオル地にあっては、１０回洗浄後の嵩高性が未洗浄のものと比べて少なくとも１２０％以上増加するもので、より好ましくは１３０%以上増加する。
【実施例】
【００１３】
＜嵩高性テスト＞
実施例
実施例の嵩高性について、図２を参照しながら説明する。
図２（Ａ）は、実施例に係るタオル地によって形成されたタオルであり、このタオルを四つ折りにして３枚重ねた状態を撮影したものである。左側は洗濯を行っていない状態のタオルを試料としたものであり、右側は電気洗濯機で洗濯と乾燥をタオル地回ずつ行った状態のタオルを試料としたものである。各試料を５つずつ用意し、左側の洗濯を行っていない状態のタオルを積み重ねた平均高さを１００とし、右側の洗濯と乾燥をタオル地回ずつ行った状態のタオルを積み重ねた平均高さを求めたところ１３１であった。即ち、実施例のタオル地は、１０回洗浄後の嵩高性が未洗浄のものと比べて１３１％増加していることが確認された。
なお、試料のタオル地の緯糸１１、経糸２１、パイル糸３１には１４/1番の綿糸を用い、緯糸１１とパイル糸３１の撚り数を１０cm当たり４９回、経糸２１の撚り数を１０cm当たり６５回とした。
【００１４】
比較例
図２（Ｂ）は、比較例のタオル地によって形成されたタオルであり、このタオルを四つ折りにして３枚重ねた状態を撮影したものである。比較例のタオルには、本願出願人が市販しているものであって、実施例のタオルとほぼ同じ番手の糸で織成されたほぼ同じ重さのタオルを用いた。
図２（Ａ）の実施例と同じく、左側は洗濯を行っていない状態のタオルを試料としたものであり、右側は電気洗濯機で洗濯と乾燥をタオル地回ずつ行った状態のタオルを試料としたものである。各試料を５つずつ用意し、左側の洗濯を行っていない状態のタオルを積み重ねた平均高さを１００とし、右側の洗濯と乾燥をタオル地回ずつ行った状態のタオルを積み重ねた平均高さを求めたところ１１２であった。
よって、比較例のタオル地は、１０回洗浄後の嵩高性が未洗浄のものと比べて１１２％増加しているに止まることが確認された。
【００１５】
＜官能テスト＞
実施例のタオルと比較例のタオルについて、本願出願人の社員１２名を対象として官能テストを行った。
柔らかさとふっくら感とについて、実施例のタオルが比較例のタオルに比べて如何なる感覚を受けるかを評価してもらったもので、その結果を以下に示す。
【００１６】
柔らかさの評価結果
柔らかい      ８名
多少柔らかい  ２名
同じ程度      ２名
多少硬い      ０名
硬い          ０名
【００１７】
ふっくら感の評価結果
ボリュームがある        １０名
多少ボリュームがある    ２名
同じ程度                ０名
あまりボリュームがない  ０名
ボリュームがない        ０名
【００１８】
本発明は種々変更して実施することができるものであり、図３に示すように片面パイルのタオル地として実施することもできる。また、糸の素材は綿１００％の物のほか、吸水性や速乾性を増すために合成樹脂繊維の混紡糸を用いたりするなど、タオル地の用途に応じて変更することができるし、織組織についても種々変更して実施することができる。  
【符号の説明】
【００１９】
１１  緯糸
２１  経糸
３１  パイル糸
３２  Ｓ撚り糸
３３  Ｚ撚り糸
【図１】
2020172714.tif 000003
【図２】
2020172714.tif 000004
【図３】
2020172714.tif 000005
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
経糸と緯糸とパイル糸とを備え、
前記パイル糸には、Ｓ撚り糸とＺ撚り糸との2種類の撚糸が用いられており、
前記Ｓ撚り糸と前記Ｚ撚り糸によるパイルループが隣り合っているタオル地において、
前記パイル糸の撚り数は、前記経糸の撚り数に対して１０cm当たり±８回以内の近似撚り数であり、
１０回洗浄後の嵩高性が未洗浄のものと比べて１２０％以上増加するように構成されたことを特徴とするタオル地。
【請求項２】
前記パイル糸の撚り数が前記緯糸の撚り数よりも少なく、
前記パイル糸の撚り数が１０cm当たり６０回未満であることを特徴とする請求項１に記載のタオル地。